(57)【要約】【課題】新たな機能をウェブサーバから導入する作業を感覚的で簡素にする。【解決手段】ウェブサーバWSと接続可能な、表示部14を備えたデジタルカメラ10で、データに対応するアイコンを配列可能なアイコン収容エリアを表示部14上に表示させ、表示されるアイコン収容エリア中の空きスロットに対する選択を受付け、受付けた選択に従い、ウェブサーバWSと接続して、ウェブサーバWSが提供するウェブサイト上の複数のデータに対応するアイコンを表示部14上に表示させてアイコンの選択を受付け、受付けた選択に従い、ウェブサーバWSからアイコンとそのアイコンに対応するデータをダウンロードして、受付けたアイコン収容エリア中の空きスロットにダウンロードしたアイコンを設定すると共に、そのアイコンに対応するデータをインストールするＣＰＵ19を備える。【選択図】図２
2015133076.tif 000002
【特許請求の範囲】
【請求項１】
表示部とメモリを備え、ウェブサーバと接続可能な端末装置であって、
上記メモリに記憶され、該端末装置に所定の機能を実現させるためのデータに対応するインデックス画像を複数配列して収容する複数のスロットを有するインデックス画像収容エリアを上記表示部上に表示させる表示手段と、
上記インデックス画像収容エリア中の空きスロットの選択を受付ける第１の選択手段と、
上記ウェブサーバが提供するウェブサイト上の複数のデータに対応するインデックス画像を上記表示部上に表示させ、表示されたインデックス画像の選択を受付ける第２の選択手段と、
上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段と
を備えることを特徴とする端末装置。
【請求項２】
表示部とメモリを備えた端末装置と、この端末装置と接続するウェブサーバとを含む機能設定システムであって、
上記ウェブサーバは、ウェブサイト上で上記端末装置に所定の機能を実現させるためのデータを複数提供すると共に上記データと対応するインデックス画像を提供し、
上記端末装置は、
上記メモリに記憶され、該端末装置に所定の機能を実現させるためのデータに対応するインデックス画像を複数配列して収容するインデックス画像収容エリアを上記表示部上に表示させる表示手段と、
上記インデックス画像収容エリア中の空きスロットの選択を受付ける第１の選択手段と、
上記ウェブサーバが提供するウェブサイト上の複数のデータに対応するインデックス画像を上記表示部上に表示させ、表示されたインデックス画像の選択を受付ける第２の選択手段と、
上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段と
を備えることを特徴とする機能設定システム。
【請求項３】
上記第２の選択手段は、上記表示部上に表示されている上記ウェブサーバから提供されたインデックス画像のひとつを選択し、上記表示部上に表示されているインデックス画像収容エリア中の空きスロットにドラッグする操作を受付け、
上記設定手段は、上記インデックス画像収容エリア中の空きスロットに上記選択したインデックス画像を設定すると共に、そのインデックス画像に対応するデータを当該端末装置で機能させるべく上記メモリにインストールする
ことを特徴とする請求項２記載の機能設定システム。
【請求項４】
上記データは、撮影条件の組であることを特徴とする請求項２記載の機能設定システム。
【請求項５】
上記データは、画像処理のエフェクト係数の組であることを特徴とする請求項２記載の機能設定システム。
【請求項６】
上記データは、アプリケーションプログラムであることを特徴とする請求項２記載の機能設定システム。
【請求項７】
表示部とメモリを備え、ウェブサーバと接続可能な端末装置での機能設定方法であって、
上記メモリに記憶され、該端末装置に所定の機能を実現させるデータに対応するインデックス画像を複数配列して収容する複数のスロットを有するインデックス画像収容エリアを上記表示部上に表示させる表示工程と、
上記インデックス画像収容エリア中の空きスロットの選択を受付ける第１の選択工程と、
上記ウェブサーバが提供するウェブサイト上の複数のデータに対応するインデックス画像を上記表示部上に表示させ、表示されたインデックス画像の選択を受付ける第２の選択工程と、
上記第２の選択工程の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定工程と
を有したことを特徴とする機能設定方法。
【請求項８】
上記第２の選択工程は、上記表示部上に表示されている上記ウェブサーバから提供されたインデックス画像のひとつを選択し、上記表示部上に表示されているインデックス画像収容エリア中の空きスロットにドラッグする操作を受付け、
上記設定工程は、上記インデックス画像収容エリア中の空きスロットに上記選択したインデックス画像を設定すると共に、そのインデックス画像に対応するデータを当該端末装置で機能させるべく上記メモリにインストールする
ことを特徴とする請求項７記載の機能設定方法。
【請求項９】
表示部とメモリを備え、ウェブサーバと接続可能な端末装置のコンピュータを、
上記メモリに記憶され、該端末装置に所定の機能を実現させるデータに対応するインデックス画像を複数配列して収容する複数のスロットを有するインデックス画像収容エリアを上記表示部上に表示させる表示手段、
上記インデックス画像収容エリア中の空きスロットの選択を受付ける第１の選択手段、
上記ウェブサーバが提供するウェブサイト上の複数のデータに対応するインデックス画像を上記表示部上に表示させ、表示されたインデックス画像の選択を受付ける第２の選択手段、及び
上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段
として機能させることを特徴とするプログラム。
【発明の詳細な説明】
【技術分野】
【０００１】
本発明は、例えばシーンプログラム機能を有するデジタルカメラなどに好適な端末装置、機能設定システム、機能設定方法及びプログラムに関する。
【背景技術】
【０００２】
端末となる装置の商品出荷時に予めインストールされていた機能の他に、当該端末のユーザ自身が新たな機能を、ウェブサーバ上に用意されている機能の中から選択して端末にダウンロードしてセットすることが一般に行われている。（例えば、特許文献１）
またスマートフォンなどにおいて、ウェブ上で提供されるアプリケーションプログラムのリストから必要なものを選択すると、必要により課金処理を行なった後に当該アプリケーションプログラムがダウンロード可能となり、インストール後にはデスクトップ画面上に当該アプリケーションへのショートカットボタン（アイコン）が作成される技術が考えられている。（例えば、特許文献２）
さらに、アイコンを１つの装置から他の装置にドラッグすることによって、アイコンに代表される電子データを他の装置へ送信する技術が知られている。（例えば、特許文献３）
【先行技術文献】
【特許文献】
【０００３】
【特許文献１】特許第４３９９１３３号公報
【特許文献２】特開２０１３−００３６２５号公報
【特許文献３】特開２００８−２８７５９７号公報
【発明の概要】
【発明が解決しようとする課題】
【０００４】
上記各特許文献に記載された技術ではいずれも、外部の他の装置と接続し、所望する機能やアプリケーションプログラム等を選択し、選択した結果をダウンロードして自装置にインストールするまで操作を段階を追って実行する必要があり、ユーザにとってはその操作が煩雑に感じられるという課題がある。
【０００５】
本発明は上記のような実情に鑑みてなされたもので、その目的とするところは、新たな機能やプログラム等を外部の装置から導入する際の手間を感覚的で簡素なものとすることが可能な端末装置、機能設定システム、機能設定方法及びプログラムを提供することにある。
【課題を解決するための手段】
【０００６】
本発明の一態様は、表示部とメモリを備え、ウェブサーバと接続可能な端末装置であって、上記メモリに記憶され、該端末装置に所定の機能を実現させるためのデータに対応するインデックス画像を複数配列して収容する複数のスロットを有するインデックス画像収容エリアを上記表示部上に表示させる表示手段と、上記インデックス画像収容エリア中の空きスロットの選択を受付ける第１の選択手段と、上記ウェブサーバが提供するウェブサイト上の複数のデータに対応するインデックス画像を上記表示部上に表示させ、表示されたインデックス画像の選択を受付ける第２の選択手段と、上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段とを備えることを特徴とする。
【発明の効果】
【０００７】
本発明によれば、新たな機能やプログラム等を外部の装置から導入する際の手間を感覚的で簡素なものとすることが可能となる。
【図面の簡単な説明】
【０００８】
【図１】本発明の一実施形態に係るカメラカスタム化システム全体の構成を示す図。
【図２】同実施形態に係るデジタルカメラの電子回路の機能構成を示すブロック図。
【図３】同実施形態に係る新たなシーンプログラムの設定処理の内容を示すフローチャート。
【図４】同実施形態に係るデジタルカメラの表示部に表示されるシーンプログラムの選択画面と、表示部での状態遷移とを例示する図。
【図５】同実施形態に係るウェブサーバから新たに提示されるシーンプログラムの例を示す図。
【図６】同実施形態に係る他の動作例でデジタルカメラの表示部に表示される絵画調変換の選択画面を例示する図。
【発明を実施するための形態】
【０００９】
以下、本発明をデジタルカメラとそのメーカが運営するウェブサーバとを含むカメラカスタム化システムに適用した場合の一実施形態について図面を参照して詳細に説明する。
【００１０】
図１は、当該システム全体の構成を示す図である。同図で、１０は例えばＩＥＥＥ８０２．１１ａ／ｂ／ｇ／ｉ／ｎ規格の無線ＬＡＮ機能に対応したデジタルカメラである。このデジタルカメラ１０が、最寄りのアクセスポイントＡＰ、及びインターネットを含むネットワークＮＷを介して、デジタルカメラ１０のメーカが運営するウェブサーバＷＳと接続可能となる。
【００１１】
図２は、上記デジタルカメラ１０の電子回路の機能構成を示すブロック図である。同図では、カメラ筐体の前面に配設される光学レンズユニット１１を介して、固体撮像素子、例えばＣＭＯＳイメージセンサ（ＩＳ）１２の撮像面上に被写体の光像を入射して結像させる。
【００１２】
スルー画像表示、あるいはライブビュー画像表示とも称されるモニタ状態では、このＣＭＯＳイメージセンサ１２での撮像により得た画像信号を画像処理部１３に送る。画像処理部１３は、アナログの画像信号をデジタル化し、デジタル値の画像データに対して適宜必要な画像処理を施して輝度色差系（ＹＵＶ）の画像データに変換する。
【００１３】
画像処理部１３は、変換後の画像データから表示用に画素数及び階調ビットを大幅に減じた画像データを作成し、システムバスＢを介して表示部１４へ送る。表示部１４では、送られてきた画像データに基づいてスルー画像を表示する。
【００１４】
表示部１４は、カメラ筐体の背面側に設けられ、例えばバックライト付きのカラー液晶パネルとそのコントローラとで構成される。この表示部１４の画面上部に一体にして透明導電膜を用いたタッチ入力部１５が構成される。
【００１５】
このタッチ入力部１５でユーザが手指等で表面をタッチ操作すると、タッチ入力部１５では操作された座標位置を算出し、算出した座標信号を上記システムバスＢを介して後述するＣＰＵ１９に送出する。
【００１６】
また、上記光学レンズユニット１１と同じくカメラ筐体前面には、マイクロホン１６が配設され、被写体方向の音声が入力される。マイクロホン１６は入力した音声を電気信号化し、音声処理部１７へ出力する。
【００１７】
音声処理部１７は、音声単体での録音時、音声付き静止画像撮影時、及び動画像の撮影時にマイクロホン１６から入力する音声信号をデジタルデータ化する。さらに音声処理部１７は、デジタル化した音声データの音圧レベルを検出する一方で、該音声データを所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、後述する記録媒体へ送出する。
【００１８】
加えて音声処理部１７は、ＰＣＭ音源等の音源回路を備え、音声の再生時に送られてくる音声データファイルの圧縮を解いてアナログ化し、このデジタルカメラ１０の筐体背面側に設けられるスピーカ１８を駆動して、放音させる。
【００１９】
以上の回路をＣＰＵ１９が統括して制御する。このＣＰＵ１９は、メインメモリ２０、プログラムメモリ２１と直接接続される。メインメモリ２０は、例えばＳＲＡＭで構成され、ワークメモリとして機能する。プログラムメモリ２１は、例えばフラッシュメモリなどの電気的に書換可能な不揮発性メモリで構成され、動作プログラムや固定データ等を記憶するもので、後述する撮影モード時の撮影条件の設定動作を含む各種シーンプログラムを記憶したシーンプログラム記憶部２１Ａを有する。このシーンプログラム記憶部２１Ａには、このデジタルカメラ１０の機種に固有の一定数分だけ、シーンプログラムを記憶してインストールすることが可能となる。
【００２０】
すなわち、シーンプログラムが、「プログラム、パラメータ群またはデータ群のいずれか」に該当する。インストールとは、単にメインメモリ２０またはプログラムメモリ２１にデータを記憶するのではなく、ＣＰＵ１９がそのデータを使用してデジタルカメラ１０になんらかの機能を実現させるように設定することを意味する。
【００２１】
ＣＰＵ１９はプログラムメモリ２１から必要なプログラムやデータ等を読出し、メインメモリ２０に適宜一時的に展開して記憶させながら、このデジタルカメラ１０全体の制御動作を実行する。
【００２２】
さらに上記ＣＰＵ１９は、キー操作部２２から直接入力される各種キー操作信号、及び上記タッチ入力部１５からのタッチ操作に応じた座標信号に対応して制御動作を実行する。
【００２３】
キー操作部２２は、例えば電源キー、シャッタレリーズキー、ズームアップ／ダウンキー、撮影モードキー、再生モードキー、メニューキー、カーソル（「↑」「→」「↓」「←」）キー、セットキー、解除キー、ディスプレイキー等を備える。
【００２４】
ＣＰＵ１９は、システムバスＳＢを介して上記画像処理部１３、表示部１４、タッチ入力部１５、及び音声処理部１７の他、さらにフラッシュ駆動部２３、イメージセンサ（ＩＳ）駆動部２４、通信処理部２５、及びメモリカードコントローラ２６と接続される。
【００２５】
フラッシュ駆動部２３は、静止画像撮影時にＣＰＵ１９からの制御信号を受けて、複数の白色高輝度ＬＥＤで構成されるフラッシュ部２７を撮影タイミングに同期して点灯駆動する。
【００２６】
イメージセンサ駆動部２４は、その時点で設定されている撮影条件等に応じて上記ＣＭＯＳイメージセンサ１２の走査駆動を行なう。
【００２７】
上記画像処理部１３は、上記キー操作部２３のシャッタレリーズキー操作に伴う画像撮影時に、画像データを所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減した画像データファイルを作成する。作成した画像データファイルは、システムバスＢ、上記メモリカードコントローラ２６を介してメモリカード２８に転送して保存される。
【００２８】
また画像処理部１３は、再生モード時にメモリカード２８からメモリカードコントローラ２６を介して読出されてくる画像データをシステムバスＢを介して受取る。画像処理部１３は、この受取った画像データを記録時とは逆の手順で圧縮を解く伸長処理により元のサイズの画像データを得、得た画像データのデータ量を減じた後にシステムバスＢを介して上記表示部１４で表示させる。  
上記通信処理部２５は、無線ＬＡＮアンテナ２９を介して上記アクセスポイントＡＰ等とＩＥＥＥ８０２．１１ａ／ｂ／ｇ／ｉ／ｎ規格に則ったデータの送受を行なう。
【００２９】
上記メモリカードコントローラ２６は、カードコネクタ３０に装着されたメモリカード２８と接続される。メモリカード２８は、このデジタルカメラ１０に着脱自在に装着され、このデジタルカメラ１０の記録媒体となる、画像ファイル等の記録用メモリである。メモリカード３２は、内部に不揮発性メモリであるフラッシュメモリと、その駆動回路とが設けられる。
【００３０】
次に上記実施形態の動作について説明する。  
図３は、デジタルカメラ１０をネットワークＮＷを介して上記ウェブサーバＷＳと接続し、新たなシーンプログラム機能をウェブサーバＷＳからダウンロードしてインストールする場合のデジタルカメラ１０側での処理内容を示す。
【００３１】
このデジタルカメラ１０における処理は、ＣＰＵ１９がプログラムメモリ２１に記憶されている動作プログラム等を読出し、メインメモリ２０に展開して記憶させた上で実行するものである。
【００３２】
プログラムメモリ２１に記憶されている動作プログラム、シーンプログラム記憶部２１Ａの内容等は、このデジタルカメラ１０の製造工場出荷時にそれらに記憶されていたものに加え、例えばこのデジタルカメラ１０のバージョンアップに際して、デジタルカメラ１０を図示しないパーソナルコンピュータと接続し、あるいは更新プログラムを記憶したメモリカード２８を一時的にカードコネクタ３０に装着することにより外部から新たな動作プログラム等をインストールするものも含む。
【００３３】
その処理当初にＣＰＵ１９は、撮影モード下でシーンプログラム機能を選択した上で、一定数のシーンプログラム中の空きスロットの操作を受付ける（ステップＳ１０１）。
【００３４】
すなわち、このデジタルカメラ１０は、シーンプログラム記憶部２１Ａに一定数のシーンプログラムを記憶させることが可能であり、且つ上記一定数に満たない数のシーンプログラムしかシーンプログラム記憶部２１Ａに記憶させていない状態で、表示部１４で表示するシーンプログラムの空きスロットを操作することにより、自動的にデジタルカメラ１０を上記ウェブサーバＷＳと接続して、ウェブサーバＷＳが提供する新規のシーンプログラムを設定可能となるものとする。
【００３５】
図４（Ａ）は、このときデジタルカメラ１０の表示部１４に表示される、シーンプログラムの選択画面を例示する図である。図４（Ｂ）は、表示部１４の表示エリア１４Ａ内に上記インデックス画像収容エリア１４Ｂのみが表示された状態を示す。上記図４（Ａ）、図４（Ｂ）では、デジタルカメラ１０のシーンプログラム記憶部２１Ａに１２個のシーンプログラムを記憶させることが可能であり、且つそのうちの９個のシーンプログラムが記憶されていると共に、残る３個のシーンプログラムがまだ設定されていないことを、縦３行×横４列のマトリックスにおいて、左上側から横方向に順次、９個のサンプル画像付きの操作ボタンであるアイコンＳＰ(Ｓｃｅｎｅ  Ｐｒｏｇｒａｍ)１〜ＳＰ９と３個の「空きスロット」ＥＳ（Ｅｍｐｔｙ  Ｓｌｏｔ）１〜ＥＳ３のアイコンを表示することで表現している。
【００３６】
すなわち、図４（Ｂ）に示すインデックス画像収容エリア１４Ｂが、「メモリに記憶され、デジタルカメラに所定の機能を実現させるデータのいずれかに対応するインデックス画像を配列可能なインデックス画像収容エリア」に該当する。アイコンはデータを代表するインデックス画像の表示と操作ボタンの機能を兼用しているものである。この例ではサンプル画像がインデックス画像となっている。
【００３７】
この空きスロットＥＳ１〜３のアイコンが操作されたことを上記ステップＳ１０１で受付けると、ＣＰＵ１９は自動的にブラウザソフトを起動し、上記ネットワークＮＷを介してウェブサーバＷＳと接続する（ステップＳ１０２）。なお、デジタルカメラ１０とウェブサーバＷＳは、前もって接続していても常時接続でも良い。このときデジタルカメラ１０からは、デジタルカメラ１０の機種情報と、現状で既にシーンプログラム記憶部２１Ａに記憶しているシーンプログラムの識別情報が一括してウェブサーバＷＳ側に伝送される。
【００３８】
デジタルカメラ１０からの接続に対し、ウェブサーバＷＳはこのデジタルカメラ１０の機種に応じて、既存のシーンプログラムの中から新たに設定するシーンプログラムを選択するか、または各種撮影条件を任意に組み合わせて独自のシーンプログラムを作成するかの選択を促すサイトのページ情報を提供し、デジタルカメラ１０側で表示させる。
【００３９】
図４（Ｃ）は、このとき表示部１４の表示エリア１４Ａに、上記インデックス画像収容エリア１４Ｂと並設して当該サイト１４Ｃが表示された状態を例示する。
【００４０】
このウェブサーバＷＳから提供されたサイト１４Ｃにおいて、デジタルカメラ１０側でいずれかを選択する操作がなされた場合、ＣＰＵ１９は既存のシーンプログラムの中からのシーンプログラムの選択であるか否かを判断する（ステップＳ１０３）。
【００４１】
既存のシーンプログラムの中からシーンプログラムを選択する操作がなされたと判断した場合、ＣＰＵ１９はさらにウェブサーバＷＳから新たに提供されるサイト１４Ｃにおいて、その時点ではデジタルカメラ１０には設定されていない、ウェブサーバＷＳが提供する既存のシーンプログラムの中から任意のシーンプログラムを選択するためのサイトを表示させた上で、それらの中から１つが選択されるのを受付ける（ステップＳ１０４）。
【００４２】
ユーザ側の操作としては、サイト１４Ｃに表示されている複数のシーンプログラムのインデックス画像のうちから選択したシーンプログラムのインデックス画像を、インデックス画像収容エリア１４Ｂに表示されている空きスロットＥＳのうちの任意のひとつへドラッグ操作すればよい。
【００４３】
図５は、このときウェブサーバＷＳから提示されるシーンプログラムをいくつか例示する。図５（Ａ）は、シーンプログラム「釣り」用のアイコンＷＳＰ（Ｗｅｂ  Ｓｃｅｎｅ  Ｐｒｏｇｒａｍ）１を例示する。このアイコンＷＳＰ１では、サンプル画像（インデックス画像）として「大きな魚を抱えている釣り人」が表示されると共に、その画像下部に、おおよその魚の大きさを把握するためのスケール画像がはめ込み合成で表示される。
【００４４】
このスケール画像に関しては、光学レンズユニット１１での撮影ズーム画角と焦点距離、自動合焦機能実行時のフォーカスレンズの駆動位置により、合焦位置までの距離と撮影画角内での（例えば横方向の）距離を算出することで、その算出結果に基づいて当該シーンプログラム中で随時作成される。
【００４５】
図５（Ｂ）は、シーンプログラム「ウォーキング」用のアイコンＷＳＰ２を例示する。このアイコンＷＳＰ２では、サンプル画像（インデックス画像）として「複数の女性ウォーカー」が表示されると共に、アイコンＷＳＰ２の下部で「緯度・経度を表示します」のガイドメッセージが合わせて表示される。
【００４６】
この「緯度・経度の表示」に関しては、デジタルカメラ１０が上記図２では図示しなかったＧＰＳ（Ｇｌｏｂａｌ  Ｐｏｓｉｔｉｏｎｉｎｇ  Ｓｙｓｔｅｍ：全地球測位システム）機能を有しているか、あるいはデジタルカメラ１０の外部機器として無線ＬＡＮ機能を有するＧＰＳロガー装置がある場合に、緯度・経度の各情報を随時取得して撮影画像のファイルに添付して表示可能とするものである。
【００４７】
このようにウェブサーバＷＳから提示される複数のシーンプログラム中から任意の１つを選択する操作を行なった場合、ＣＰＵ１９はその操作を判断して対応する当該シーンプログラムをウェブサーバＷＳからダウンロードし、シーンプログラム記憶部２１Ａにインストールして（ステップＳ１０６）、以上で上記図３の処理を終了し、以後、上記インストールした当該シーンプログラムでの撮影が可能となる。
【００４８】
また上記ステップＳ１０３で既存のシーンプログラムの中からシーンプログラムを選択する操作がなされず、各種撮影条件を任意に組み合わせて作成する独自のシーンプログラムが選択された場合、詳述はしないがユーザが任意の個別のシーンプログラムを作成することができる（ステップＳ１０５）。
【００４９】
このデジタルカメラ１０側からの作成依頼に応答して、ウェブサーバＷＳ側で対応する当該シーンプログラムが作成されると、デジタルカメラ１０のＣＰＵ１９はそれをウェブサーバＷＳからダウンロードし、シーンプログラム記憶部２１Ａにインストールして（ステップＳ１０６）、以上で上記図３の処理を終了し、以後、上記インストールした当該シーンプログラムでの撮影が可能となる。
【００５０】
次に、他の動作例についても簡単に説明する。この動作例では、デジタルカメラ１０は撮影した画像を複数の種類の絵画調画像に変換することができる。
【００５１】
絵画調変換としては、例えば油彩画調（ハード）、油彩画調（ソフト）、水彩画調、パステル画調、鉛筆画調（モノクロ）、色鉛筆画調、木炭画調、チョーク画調、及び劇画調への変換可能な絵画変換プログラムが上記プログラムメモリ２１内の絵画変換プログラム記憶部（図示せず）にすでに記憶しており、それら絵画調に変換するための複数種類のパラメータ群も記憶されているものとする。すなわち、上記実施形態における絵画調変換プログラムが画像を複数種類の絵画調の画像に変換するため、パラメータ群（エフェクト係数の組）が「データ」に該当するものである。
【００５２】
図６は、本動作例におけるデジタルカメラ１０の表示部４での表示例を示す図である。インデックス画像収容エリア１４Ｄに、上記各絵画調変換のアイコンＡＴ（Ａｒｔ  Ｔｒａｎｓｆｏｒｍ）１〜ＡＴ９が表示されているとともに、空スロットＥＳ１〜ＥＳ３が表示されている。
【００５３】
ウェブサーバＷＳには、異なる種類の絵画調のパラメータ群が提供されている。例えば、点描画調、クレヨン画調、刺繍画調、イラスト画調、‥‥等である。
【００５４】
上記シーンプログラムで説明した場合の動作と同様、ウェブサーバＷＳが提供する種類の画調のアイコン（図示せず）を、デジタルカメラ１０の表示部４に表示しているインデックス画像収容エリア１４Ｄの空きスロットＥＳ１〜ＥＳ３中の任意のスロットにドラッグすることによって、新たな絵画調のパラメータ群をインストールすると共に、インデックス画像を空きスロットに設定することができる。
【００５５】
以上詳述した如く本実施形態によれば、デジタルカメラ１０でデータ群としてのシーンプログラムを外部のウェブサーバＷＳから導入する際の手間を感覚的で簡素なものとすることが可能となる。
【００５６】
また上記実施形態では、ウェブサイトとの接続状態において、サイト上から選択したシーンプログラム矢絵画調変換等のインデックス画像を空きスロット領域までドラッグ操作するだけの、簡易で直感的な操作により新たな機能が空きスロットにダウンロード、インストールされるため、普段パーソナルコンピュータやスマートフォンを使用しているユーザであれば、きわめて感覚的な操作により新たな機能を設定できる。
【００５７】
加えて上記実施形態では、画像の撮影を行なう装置であるデジタルカメラで、撮影条件の組であるシーンプログラムを簡易に設定できるため、広く一般的に使用されるであろうシーンプログラムのみならず、きわめて嗜好性、趣味性の高いシーンプログラムも導入でき、シーンプログラムを記憶するための記憶媒体の容量を有効に活用しながら、より多数のユーザが個々にカスタム化することが可能となる。
【００５８】
なお上記実施形態は、デジタルカメラとそのメーカが運営するウェブサーバとを含むカメラカスタム化システムにおいて、撮影条件の組をプログラム化したシーンプログラムの設定を行なう例を示したが、本発明はこれに限らず、表示部を有する装置で、何らかの画像処理、例えば実画像を絵画調、イラスト調に変換する絵画調変換やイラスト調変換、あるいは顔認識技術や他の画像を用いた画像合成技術などで使用する画像処理上のエフェクト係数の組を簡易に設定することも可能である。
【００５９】
さらに本発明は、例えばスマートフォンなどで各種アプリケーションプログラムをネットワーク上で選択してインストールするような場合にも適用可能であり、ユーザが必要とするアプリケーションプログラムをインストールする際の手間を大幅に簡素化し、きわめて感覚的な操作のみで新規のアプリケーションプログラムを導入できる。
【００６０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６１】
以下に、本願出願の当初の特許請求の範囲に記載された発明を付記する。  
請求項１記載の発明は、表示部とメモリを備え、ウェブサーバと接続可能な端末装置であって、上記メモリに記憶され、該端末装置に所定の機能を実現させるためのデータに対応するインデックス画像を複数配列して収容する複数のスロットを有するインデックス画像収容エリアを上記表示部上に表示させる表示手段と、上記インデックス画像収容エリア中の空きスロットの選択を受付ける第１の選択手段と、上記ウェブサーバが提供するウェブサイト上の複数のデータに対応するインデックス画像を上記表示部上に表示させ、表示されたインデックス画像の選択を受付ける第２の選択手段と、上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段とを備えることを特徴とする。
【００６２】
請求項２記載の発明は、表示部とメモリを備えた端末装置と、この端末装置と接続するウェブサーバとを含む機能設定システムであって、上記ウェブサーバは、ウェブサイト上で上記端末装置に所定の機能を実現させるためのデータを複数提供すると共に上記データと対応するインデックス画像を提供し、上記端末装置は、上記メモリに記憶され、該端末装置に所定の機能を実現させるためのデータに対応するインデックス画像を複数配列して収容するインデックス画像収容エリアを上記表示部上に表示させる表示手段と、上記インデックス画像収容エリア中の空きスロットの選択を受付ける第１の選択手段と、上記ウェブサーバが提供するウェブサイト上の複数のデータに対応するインデックス画像を上記表示部上に表示させ、表示されたインデックス画像の選択を受付ける第２の選択手段と、上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段とを備えることを特徴とする。
【００６３】
請求項３記載の発明は、上記請求項２記載の発明において、上記第２の選択手段は、上記表示部上に表示されている上記ウェブサーバから提供されたインデックス画像のひとつを選択し、上記表示部上に表示されているインデックス画像収容エリア中の空きスロットにドラッグする操作を受付け、上記設定手段は、上記インデックス画像収容エリア中の空きスロットに上記選択したインデックス画像を設定すると共に、そのインデックス画像に対応するデータを当該端末装置で機能させるべく上記メモリにインストールすることを特徴とする。
【００６４】
請求項４記載の発明は、上記請求項２記載の発明において、上記データは、撮影条件の組であることを特徴とする。
【００６５】
請求項５記載の発明は、上記請求項２記載の発明において、上記データは、画像処理のエフェクト係数の組であることを特徴とする。
【００６６】
請求項６記載の発明は、上記請求項２記載の発明において、上記データは、アプリケーションプログラムであることを特徴とする。
【００６７】
請求項７記載の発明は、表示部とメモリを備え、ウェブサーバと接続可能な端末装置での機能設定方法であって、上記メモリに記憶され、該端末装置に所定の機能を実現させるデータに対応するインデックス画像を複数配列して収容する複数のスロットを有するインデックス画像収容エリアを上記表示部上に表示させる表示工程と、上記インデックス画像収容エリア中の空きスロットの選択を受付ける第１の選択工程と、上記ウェブサーバが提供するウェブサイト上の複数のデータに対応するインデックス画像を上記表示部上に表示させ、表示されたインデックス画像の選択を受付ける第２の選択工程と、上記第２の選択工程の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定工程とを有したことを特徴とする。
【００６８】
請求項８記載の発明は、上記請求項７記載の発明において、上記第２の選択工程は、上記表示部上に表示されている上記ウェブサーバから提供されたインデックス画像のひとつを選択し、上記表示部上に表示されているインデックス画像収容エリア中の空きスロットにドラッグする操作を受付け、上記設定工程は、上記インデックス画像収容エリア中の空きスロットに上記選択したインデックス画像を設定すると共に、そのインデックス画像に対応するデータを当該端末装置で機能させるべく上記メモリにインストールすることを特徴とする。
【００６９】
請求項９記載の発明は、表示部とメモリを備え、ウェブサーバと接続可能な端末装置のコンピュータを、上記メモリに記憶され、該端末装置に所定の機能を実現させるデータに対応するインデックス画像を複数配列して収容する複数のスロットを有するインデックス画像収容エリアを上記表示部上に表示させる表示手段、上記インデックス画像収容エリア中の空きスロットの選択を受付ける第１の選択手段、上記ウェブサーバが提供するウェブサイト上の複数のデータに対応するインデックス画像を上記表示部上に表示させ、表示されたインデックス画像の選択を受付ける第２の選択手段、及び上記第２の選択手段の選択に従い、上記ウェブサーバから選択されたインデックス画像に対応するデータをダウンロードして、当該端末装置で機能させるべく上記メモリにインストールすると共に、該インストールされたデータに対応するインデックス画像を上記第１の選択手段で受付けたインデックス画像収容エリア中の空きスロットに設定する設定手段として機能させることを特徴とする。
【符号の説明】
【００７０】
１０…デジタルカメラ、  
１１…光学レンズユニット、  
１２…ＣＭＯＳイメージセンサ（ＩＳ）、  
１３…画像処理部、  
１４…表示部、  
１５…タッチ入力部、  
１６…マイクロホン、  
１７…音声処理部、  
１８…スピーカ、  
１９…ＣＰＵ、  
２０…メインメモリ、  
２１…プログラムメモリ、  
２１Ａ…シーンプログラム記憶部、  
２２…キー操作部、  
２３…フラッシュ駆動部、  
２４…イメージセンサ（ＩＳ）駆動部、  
２５…通信処理部、  
２６…メモリカードコントローラ、  
２７…フラッシュ部、  
２８…メモリカード、  
２９…無線ＬＡＮアンテナ、  
３０…カードコネクタ、  
ＡＰ…アクセスポイント、  
Ｂ…システムバス、  
ＮＷ…ネットワーク、  
ＷＳ…ウェブサーバ。
【図１】
2015133076.tif 000003
【図２】
2015133076.tif 000004
【図３】
2015133076.tif 000005
【図５】
2015133076.tif 000006
【図６】
2015133076.tif 000007
【図４】
2015133076.tif 000008